(57)【特許請求の範囲】
【請求項１】
被洗浄物が収容される洗浄槽と、前記洗浄槽内に設けられ、前記被洗浄物を収納する複数段の食器かごと、前記洗浄槽の内壁の側面に固定的に設けられ、洗浄水を噴射する複数の噴射口を有する洗浄ノズルとを備え、前記複数段の食器かごの内、最下段を除く少なくとも１段を、前記洗浄ノズルと対応する位置に配設するとともに、前記洗浄ノズルの複数の噴射口のうち少なくとも１つの噴射口から斜め方向に噴射される洗浄水の噴射方向とほぼ同一の斜め方向に移動可能とした食器洗い機。
【請求項２】
複数の噴射口のうち少なくとも１つを、移動可能ないずれの位置にある食器かごの最下段を除く少なくとも１段よりも下方に配設するとともに、斜め上方に洗浄水を噴射するよう構成した請求項１記載の食器洗い機。
【請求項３】
被洗浄物が収容される洗浄槽と、前記洗浄槽内に設けられ、前記被洗浄物を収納する複数段の食器かごと、前記洗浄槽の内壁の側面に固定的に設けられ、洗浄水を噴射する複数の噴射口を有する洗浄ノズルとを備え、前記複数の噴射口のうち少なくとも１つを、前記食器かごの最下段を除く少なくとも１段の上かごよりも下方に配設するとともに、斜め上方に洗浄水を噴射するよう構成し、前記上かごを、前記斜め上方に洗浄水を噴射するよう構成した噴射口に対応する位置に配設するとともに、斜め上方に噴射される洗浄水の噴射角度とほぼ同角度で斜め方向に移動可能とした食器洗い機。
【請求項４】
移動可能とした食器かごの少なくとも１段は、複数の設定位置にのみ設置可能とした請求項１〜３のいずれか１項に記載の食器洗い機。
【請求項５】
移動可能な食器かごの少なくとも１段は、最下段より平面視小なる構成とした請求項１〜４のいずれか１項に記載の食器洗い機。
【請求項６】
複数段の食器かごを、上下２段別々に構成し、上段を、洗浄槽の側面に形成した複数段の係止部のうちの１つに選択的に係止して支持する構成とした請求項４または５に記載の食器洗い機。
【発明の詳細な説明】
【技術分野】
【０００１】
本発明は、洗浄ノズルより、食器などの被洗浄物に向けて洗浄水を噴射して、被洗浄物を洗浄する食器洗い機に関するものである。
【背景技術】
【０００２】
従来の、この種の食器洗い機として、図６に示されるようなものがあった（例えば、特許文献１参照）。
【０００３】
図６は、上記特許文献１に記載された従来の食器洗い機の縦断面図である。
【０００４】
図６において、従来の食器洗い機の洗浄槽５１内には、被洗浄物である食器５２を収容する食器かご５３に洗浄水を噴射する洗浄ノズル５４が回転自在に設けられるとともに、洗浄槽５１内の洗浄水は、ヒータ５５によって温水化され、洗浄ポンプ５６にて、残滓フィルター５７を通して、排水口５８から吸い込まれ、洗浄ノズル５４に圧送される。
【０００５】
そして、洗浄ノズル５４より勢いよく噴射される洗浄水によって、食器かご５３に配置収容された食器５２を洗浄するようになっている。
【０００６】
また、図７に示すように、洗浄槽５１内の上方に配された上かご５９に収容された食器５２の洗浄性を向上させるために、洗浄槽５１の後面内側に、洗浄水を噴射する固定ノズル６０を設けたものもある（例えば、特許文献２参照）。
【特許文献１】特開２００１−６１７５６号公報
【特許文献２】特開２００４−２６７６６１号公報
【発明の開示】
【発明が解決しようとする課題】
【０００７】
しかしながら、このような従来の食器洗い機では、食器かご５３や上かご５９の配置場所を変更することができないため、食器５２の個数や配置によっては一部洗浄できない箇所が発生し、上かご５９に配置した食器５２の洗浄効率が非常に悪いという課題があった。
【０００８】
本発明は、上記従来の課題を解決するもので、上段の食器かごに配置した被洗浄物（食器）の洗浄効率をよくした食器洗い機を提供することを目的としている。
【課題を解決するための手段】
【０００９】
上記従来の課題を解決するために、本発明の食器洗い機は、被洗浄物が収容される洗浄槽と、前記洗浄槽内に設けられ、前記被洗浄物を収納する複数段の食器かごと、前記洗浄槽の内壁の側面に固定的に設けられ、洗浄水を噴射する複数の噴射口を有する洗浄ノズルとを備え、前記複数段の食器かごの内、最下段を除く少なくとも１段を、前記洗浄ノズルと対応する位置に配設するとともに、前記洗浄ノズルの複数の噴射口のうち少なくとも１つの噴射口から斜め方向に噴射される洗浄水の噴射方向とほぼ同一の斜め方向に移動可能としたもので、洗浄水とほぼ同角度で上方に移動でき洗浄することができる。これにより、上段の食器かごと噴射水の角度とが効率よく配置ができ、上段の食器かごの配置位置を上方に変更しても、仕上がりよく洗浄できるものである。
【発明の効果】
【００１０】
本発明の食器洗い機は、洗浄槽内に配置する上段の食器かごの配置性を改善し、上段の食器かごをいずれの位置に配置しても上段の食器かごに配置された被洗浄物を仕上がりよく洗浄できるようにした食器洗い機を実現することができる。
【発明を実施するための最良の形態】
【００１１】
第１の発明は、被洗浄物が収容される洗浄槽と、前記洗浄槽内に設けられ、前記被洗浄物を収納する複数段の食器かごと、前記洗浄槽の内壁の側面に固定的に設けられ、洗浄水を噴射する複数の噴射口を有する洗浄ノズルとを備え、前記複数段の食器かごの内、最下段を除く少なくとも１段を、前記洗浄ノズルと対応する位置に配設するとともに、前記洗浄ノズルの複数の噴射口のうち少なくとも１つの噴射口から斜め方向に噴射される洗浄水の噴射方向とほぼ同一の斜め方向に移動可能としたもので、洗浄槽の内壁の側面に固定した洗浄ノズルの噴射口から洗浄水を斜めに噴射し、その洗浄水の噴射方向とほぼ同一の斜め方向に上段の食器かごが移動可能なので、上段の食器かごがどの位置にあっても、噴射口から噴射された洗浄水が確実に被洗浄物に当たり、洗浄が効率よく行われる。これにより、上段の食器かごと噴射水の角度とが効率よく配置ができ、上段の食器かごの配置位置を上方に変更しても、仕上がりよく洗浄できるものである。
【００１２】
第２の発明は、特に、第１の発明の複数の噴射口のうち少なくとも１つを、移動可能ないずれの位置にある食器かごの最下段を除く少なくとも１段よりも下方に配設するとともに、斜め上方に洗浄水を噴射するよう構成したもので、洗浄槽の内壁の側面に固定的に設けられ、洗浄水を噴射する複数の噴射口は上段の食器かごより下方にあり、斜め上方に洗浄水を噴射し効率よく洗浄をすることができる。
【００１３】
第３の発明は、被洗浄物が収容される洗浄槽と、前記洗浄槽内に設けられ、前記被洗浄物を収納する複数段の食器かごと、前記洗浄槽の内壁の側面に固定的に設けられ、洗浄水を噴射する複数の噴射口を有する洗浄ノズルとを備え、前記複数の噴射口のうち少なくとも１つを、前記食器かごの最下段を除く少なくとも１段の上かごよりも下方に配設するとともに、斜め上方に洗浄水を噴射するよう構成し、前記上かごを、前記斜め上方に洗浄水を噴射するよう構成した噴射口に対応する位置に配設するとともに、斜め上方に噴射される洗浄水の噴射角度とほぼ同角度で斜め方向に移動可能としたもので、洗浄槽の内壁の側面に固定した洗浄ノズルの噴射口から洗浄水を斜め上方に噴射し、その洗浄水の噴射角度とほぼ同角度で上段の食器かごが斜め方向に移動可能なので、上段の食器かごがどの位置にあっても、噴射口から噴射された洗浄水が確実に被洗浄物に当たり、洗浄が効率よく行われる。
【００１４】
第４の発明は、特に、第１〜第３のいずれか一つの発明の移動可能とした食器かごの少なくとも１段は、複数の設定位置にのみ設置可能としたもので、大物食器、調理器具等の被洗浄物を配置する場合も、設定位置を変えることで洗浄水が、確実に被洗浄物に当り効率よく洗浄することができる。
【００１５】
第５の発明は、特に、第１〜第４のいずれか一つの発明の移動可能な食器かごの少なくとも１段は、最下段より平面視小なる構成としたもので、効率よく洗浄水を当てることができよりよく洗浄することができる。
【００１６】
第６の発明は、特に、第４または第５の発明の複数段の食器かごを、上下２段別々に構成し、上段を、洗浄槽の側面に形成した複数段の係止部のうちの１つに選択的に係止して支持する構成としたもので、下段の食器かごの被洗浄物の種類、配置に合わせて係止部を選択し効率的に被洗浄物を配置して、仕上がりよく洗浄できる。
【００１７】
以下、本発明の実施の形態について、図面を参照しながら説明する。また、この実施の形態によって本発明が限定されるものではない。
【００１８】
（実施の形態１）
本発明の実施の形態１における食器洗い機について、図１〜５を用いて説明する。図１は、本実施の形態１における食器洗い機の縦断面図である。
【００１９】
図１において、本実施の形態における食器洗い機の洗浄槽１の内部の底部に、洗浄水を噴射する洗浄ノズル２が回転自在に設けられると共に、洗浄槽１の内壁の左側面には、洗浄水を噴射する噴射口（図示せず）を複数有する洗浄ノズル１０が固定的に設けられ、食器などの被洗浄物３を収容する食器かごとして、下かご４と上かご５が上下に配置されている。
【００２０】
洗浄槽１内の洗浄水は、ヒータ６によって温水化され、洗浄ポンプ７にて残滓フィルター８を通して排水口９から吸い込まれ、回転自在の洗浄ノズル２と、固定的に設けられた洗浄ノズル１０に圧送される。回転自在の洗浄ノズル２と固定的に設けられた洗浄ノズル１０より勢いよく噴射される洗浄水によって、下かご４と上かご５に配置収容された被洗浄物３を洗浄するように構成している。
【００２１】
図２は、同食器洗い機の上かご５を、最下段の支持部１１ｂ、１２ｂの最下段に配置した場合の上かご５と洗浄ノズル１０の位置関係を示す要部断面図、図３は、上かご５を、最下段の支持部１１ｂ、１２ｂの最下段に配置した場合の上かご５と洗浄ノズル１０の位置関係を示す部分正面図である。
【００２２】
洗浄槽１の内壁の側面にはめ込み、または機械的に固定され洗浄水を噴射する洗浄ノズル１０の複数の噴射口は、前後左右に一対にある樹脂材料でできている階段形状の支持部１１ａ、１１ｂ、１２ａ、１２ｂは洗浄槽１にはめ込み、または機械式に固定されている前記支持部１１ａ、１１ｂ、１２ａ、１２ｂに配置された、樹脂、ステンレス及び鉄材をコーティングした線材を組み合わせた上かご５より下方にあり、斜め上方に洗浄水を噴射し前記上かご５に配置収容された被洗浄物３を効率よく洗浄できるようにしてある。
【００２３】
図４、図５は、同食器洗い機の上かご５を、支持部１１ａ、１１ｂの最上段に移動させて配置した場合の上かご５と洗浄ノズル１０の位置関係を示す要部断面図及び部分正面図である。
【００２４】
洗浄槽１の内壁の側面に固定された洗浄ノズル１０の噴射口から洗浄水を斜め上方に噴射し、その洗浄水の噴射角度とほぼ同角度で上かご５を上方に移動できるように、前記洗浄槽１に前後左右に一対にある階段状になった複数段の係止部を有する上かご５の支持部１１ａ、１１ｂ、１２ａ、１２ｂを設け、支持部１１ａ、１１ｂ、１２ａ、１２ｂのどの段に上かご５を配置しても噴射口から噴射された洗浄水が上かご５に配置収容された被洗浄物３に効率よく洗浄水が当たり洗浄ができる。
【００２５】
また、上かご５が、複数の設定位置で設置可能になっているので、大物食器、調理器具等といった、大型の被洗浄物３を配置する場合も、上かご５の設定位置を変えることで洗浄水が確実に被洗浄物３に当たり、効率よく洗浄することができる。
【００２６】
また、上かご５を、最下段の食器かごである下かご４より平面視小なるように構成すれば、上かご５内の被洗浄物３に回転自在な洗浄ノズル２からの洗浄水を効率よく当てることができ、よりよく洗浄することができるものである。
【００２７】
また、上記実施の形態では、食器かごとして、上かご５、下かご４の２段を設けたが、本発明は、これに限定するものでは無く、上段、中段、下段の３段或いはそれ以上設けてもよいことは、言うまでもない。
【産業上の利用可能性】
【００２８】
以上のように、本発明にかかる食器洗い機は、下段の食器かごに配置される被洗浄物、大物被洗浄物、調理器具に合わせて、上段の食器かごの配置位置を変更でき洗浄を効率よくおこなえるので、複数段の食器かごを有する食器洗い機等として有用である。
【図面の簡単な説明】
【００２９】
【図１】本発明の実施の形態１の食器洗い機の縦断面図
【図２】同食器洗い機の上かごを支持部の最下段に配置した場合の上かごと洗浄ノズルの位置関係を示す要部断面図
【図３】同上かごを支持部の最下段に配置した場合の上かごと洗浄ノズルの位置関係を示す部分正面図
【図４】同食器洗い機の上かごを支持部の最上段に配置した場合の上かごと洗浄ノズルの位置関係を示す要部断面図
【図５】同上かごを支持部の最上段に配置した場合の上かごと洗浄ノズルの位置関係を示す部分正面図
【図６】従来の食器洗い機の縦断面図
【図７】他の従来の食器洗い機の縦断面図
【符号の説明】
【００３０】
１  洗浄槽
２、１０  洗浄ノズル
３  被洗浄物
４  下かご（食器かご）
５  上かご（食器かご）
６  ヒータ
７  ポンプ
８  残滓フィルター
９  排水口
１１ａ、１１ｂ、１２ａ、１２ｂ  支持部
【図１】
0004821743.tif 000002
【図２】
0004821743.tif 000003
【図３】
0004821743.tif 000004
【図４】
0004821743.tif 000005
【図５】
0004821743.tif 000006
【図６】
0004821743.tif 000007
【図７】
0004821743.tif 000008